(57)【要約】【課題】光ファイバ巻き取り開始に際し、ファイバ端末をボビン鍔部の外面側に挟んで固定するための固定具として、ファイバ端末を挟持するだけでなく、幅の狭い巻取部にも光ファイバを導入させ得る固定具を提供し、併せて、幅が狭い巻取部に対する光ファイバの巻き付け作業を自動化させ得るようにする。【解決手段】円盤状基体からなり、その円盤状基体の盤面には、ボビン外側の鍔部との間でファイバの端末部分を挟む挟持面を有し、円盤状基体における盤面の外周側の部位に、ボビンに向かって突出しかつボビン外側鍔部の外径より大径で周方向に連続する隆起部が形成されている固定具。巻き取り方法として、ファイバの巻始め側端末部分を、固定具の挟持面とボビンの外側鍔部との間に挟んで固定するとともに、ファイバの一部を、隆起部によりボビン側に押しやり、固定具とボビンとを一体に回転させて、ファイバを、鍔部を乗り越えさせ、巻取部に巻き取る。【選択図】図９
2015009987.tif 000002
【特許請求の範囲】
【請求項１】
巻取機の回転軸に装着されて、光ファイバ巻き取り用ボビンの外側の第１の鍔部との間で、巻き取るべき光ファイバの巻き始め側の端末部分を挟持し、その端末部分を固定するための光ファイバ巻き取り用の光ファイバ端末固定具において、
全体として円盤状をなす基体からなり、
かつ前記円盤状基体の盤面には、ボビンの前記第１の鍔部との間で光ファイバの端末部分を挟む挟持面を有し、
さらに前記円盤状基体におけるボビン側の盤面の外周側の部位には、ボビンに向かって突出しかつボビンの第１の鍔部の外径よりも大きい径で周方向に連続する隆起部が形成されていることを特徴とする光ファイバ巻き取り用の光ファイバ端末固定具。
【請求項２】
前記挟持面の延長面からの前記隆起部の突出高さが、ボビンの前記第１の鍔部の厚みより大きいことを特徴とする請求項１に記載の光ファイバ巻き取り用の光ファイバ端末固定具。
【請求項３】
前記円盤状基体の半径方向における前記隆起部の断面形状が、略三角形状とされていることを特徴とする請求項１、請求項２のいずれかの請求項に記載の光ファイバ巻き取り用の光ファイバ端末固定具。
【請求項４】
請求項１〜請求項３のいずれかの請求項に記載の光ファイバ巻き取り用の光ファイバ端末固定具と、前記第１の鍔部とその第１の鍔部の隣の第２の鍔部との間に前記第１の巻取部が区画形成されたボビンとを用い、
光ファイバの巻き始め側の端末部分を、前記光ファイバ端末固定具の挟持面と前記ボビンの前記第１の鍔部との間に挟んで固定するとともに、光ファイバの一部を、前記隆起部によってボビン側に押しやり、続いて光ファイバ端末固定具とボビンとを一体に回転させて、光ファイバの一部を、前記第１の鍔部を乗り越えさせ、前記第１の巻取部に光ファイバを巻き取ることを特徴とする光ファイバ巻き取り方法。
【請求項５】
前記ボビンとして、第１の鍔部の外周縁から内側に切り込まれた導入溝を有するボビンを用い、光ファイバの巻き始め側の端末部分を、光ファイバ端末固定具の挟持面とボビンの第１の鍔部との間に挟んで固定するとともに、光ファイバの一部を、前記隆起部によってボビン側に押しやり、続いて前記光ファイバ端末固定具とボビンとを一体に回転させて、光ファイバの一部を、前記第１の鍔部を乗り越えさせるに当たり、その光ファイバの一部を、前記導入溝の側縁に係合させて、その導入溝内を通すことを特徴とする請求項４に記載の光ファイバ巻き取り方法。
【請求項６】
前記ボビンおよび前記光ファイバ端末固定具の各部位の寸法を、
Ａ：ボビンの第１の巻取部の幅、
Ｂ：ボビンの前記第１の鍔部の厚み、
Ｃ１：ボビンの前記第１の鍔部の高さ、
Ｃ２：ボビンの前記第１の鍔部の導入溝の深さ、
Ｒ：導入溝の側縁が面取りされている場合の面取り部分の曲率半径、
Ｄ：光ファイバ端末固定具における前記挟持面の延長面から前記隆起部の頂部までの高さ、
Ｅ：ボビンおよび光ファイバ端末固定具の半径方向における、ボビンの前記第１の鍔部の外周縁から光ファイバ端末固定具の隆起部の頂部までの距離、
Ｌ：ボビンの回転軸と平行な方向における、前記第１の鍔部と前記第２の鍔部との間の間隔、
と定義し、次の（１）式、（２）式および（３）式が満たされるように、前記ボビンおよび前記光ファイバ端末固定具の各部位の寸法を定めておくことを特徴とする請求項４に記載の光ファイバ巻き取り方法。
【数１】
2015009987.tif 000014
【数２】
2015009987.tif 000015
【数３】
2015009987.tif 000016
【請求項７】
前記ボビンとして、前記第１の鍔部および第２の鍔部のほか、第３の鍔部を有し、前記第１の鍔部と第３の鍔部が回転軸線にそった方向の両端側に形成され、前記第２の鍔部が第１の鍔部と第３の鍔部との間に形成され、かつ前記第１の鍔部と第２の鍔部との間に、前記第１の巻取部が区画形成され、第２の鍔部と第３の鍔部との間に、第２の巻取部が区画形成され、しかも前記第１の巻取部は回転軸線に沿った方向の幅が、前記第２の巻取部の回転軸線に沿った方向の幅よりも小さく定められたものを用いることを特徴とする請求項４〜請求項６のいずれかの請求項に記載の光ファイバ巻き取り方法。
【請求項８】
前記ボビンとして、前記第１の鍔部の外径が前記第２の鍔部の外径よりも小さいものを用いることを特徴とする請求項７に記載の光ファイバ巻き取り方法。
【発明の詳細な説明】
【技術分野】
【０００１】
本発明は、鍔部を有する光ファイバ巻き取り用ボビンの鍔部間の巻取部に光ファイバを巻き取るにあたって、その巻き始めに際し、光ファイバの巻き始め端末をボビンに固定するための光ファイバ端末固定具、およびその固定具を用いてボビンに光ファイバを巻き取る方法に関するものであり、とりわけ端末をボビンに固定した光ファイバを、巻取部上に導くために好適な光ファイバ端末固定具、およびそれを使用した巻き取り方法に関するものである。
【背景技術】
【０００２】
光ファイバ素線の製造工程や光ファイバ心線の製造工程などにおいては、光ファイバ素線もしくは光ファイバ心線（本明細書では、これらを総称して光ファイバと称する）を、ボビンに光ファイバを巻き取ることが行なわれる。ボビンとしては、円筒状をなす巻取部（いわゆる巻き胴）の両端に鍔部が設けられたものを用いて、そのボビンを巻取機に装着し、巻き取るべき光ファイバの先端部分を、ボビンもしくはボビンと一体に回転する部分に固定し、光ファイバにテンション（巻き取り張力）を付与しながらボビンを回転させることによって、鍔部間の巻取部（巻胴）の外周面に光ファイバを巻き取るのが通常である。
【０００３】
ここで、光ファイバの巻き取りを開始するに当たっては、前述のように巻き取るべき光ファイバの先端部分を、ボビンもしくはボビンと一体に回転する部分に固定する必要があるが、その場合、一般には、ボビンの一端側の鍔部の外側の面と、それに対向する巻取機側の面との間に挟み込むのが通常である。その場合、光ファイバの端末は鍔部の外面側に固定されるから、光ファイバを鍔部の内側の巻取部に光ファイバを巻き取るためには、巻き取り開始の初期において光ファイバを鍔部の外面側から鍔部を乗り越えて内側の巻取部の外周面に落としこむ（導入する）必要がある。
【０００４】
このように鍔部の外面側での光ファイバの端末を固定して、光ファイバを鍔部内側の巻取部外周面に導入するための従来の方法、とりわけその導入を自動的に行なう方法としては、例えば特許文献１に示される方法が広く採用されている。この従来方法を、図２１〜図２３に模式的に示す。
【０００５】
図２１、図２２において、ボビン１は、円筒状をなす巻胴（巻取部）３の両端に、巻胴３の外径よりも大径の鍔部５Ａ、５Ｂを形成した構成とされている。一方、巻取機の回転軸７には、その回転軸７と一体に回転する円盤状の固定盤９が設けられている。そして、その固定盤９の盤面に鍔部５Ａの外面が対向するように、ボビン１が巻取機の回転軸７に装着される。一方光ファイバ１１は、トラバーサなどのガイドローラ１３を経て、ボビン１に向けて供給されるが、巻き取り開始前（ボビンの回転開始前）の段階で、巻き取るべき光ファイバ１１の先端部分を固定盤９と鍔部５Ａとの間に挟んで固定する。一方、鍔部５Ａの外周側付近には、トラバーサのガイドローラ１３からボビン１に供給される光ファイバ１１の走行位置を規制するための横移動部材１５を配置しておき、初期段階において横移動部材１５をボビン１の回転軸線と平行に他方の鍔部５Ｂに向けて移動させ、これによって光ファイバ１１を、鍔部５Ａを乗り越えて巻き胴３の外周上に落とし込むことが行なわれる。なお、鍔部５Ａの外周部分には、図２３に示すように、その外周縁部から内側に切り欠かれた導入溝１７を形成しておき、横移動部材１５により横移動させられる光ファイバ１１を、鍔部５Ａの外周縁面５Ａａから導入溝１７内に落ち込ませ、これによって鍔部５Ａの内側の巻胴３の外周面に落とし込むことを可能としている。
【０００６】
ところで、光ファイバの製造工程などにおいては、図２４に示すようなボビン２０を用いることがある。このボビン２０は、回転軸線に沿った方向への幅Ｗ１が極めて狭い短円筒状の第１の巻取部（以下、幅狭巻取部と称する；一般に幅Ｗ１は数ｍｍ程度）２１と、回転軸線に沿った方向への幅Ｗ２が、幅狭巻取部２１の幅Ｗ１よりも格段に広い円筒状の第２の巻取部（以下、幅広巻取部と称する；一般に幅Ｗ２は数十ｍｍ以上）２３とを、中間鍔部２５Ｂを境界として直列上に一体化したものである。すなわち幅狭巻取部２１は、ボビン２０の全体の一端側（回転軸線に沿った方向の一端側）に位置する第１の鍔部２５Ａと前記中間鍔部（第２の鍔部）２５Ｂとの間に区分形成され、幅広巻取部２３は、ボビン２０の全体の他端側に位置する第３の鍔部２５Ｃと前記中間鍔部（第２の鍔部）２５Ｂとの間に区分形成されている。なお、幅狭巻取部２１の外側の第１の鍔部２５Ａの径ｄ１は、幅広巻取部２１の両側の鍔部（第２の鍔部（中間鍔部）２５Ｂおよび外側の第３の外側鍔部２５Ｃ）の径ｄ２よりも小さい径とされている。
【０００７】
このようなボビン２０の幅狭巻取部２１は、光ファイバにおける特性を測定するための部分を巻き取るために使用されるのが通常である。すなわち、巻き取り開始後の初期段階で光ファイバの端末側の短い部分（数ｍ程度）を幅狭巻取部２１に巻き取り、その後に残りの光ファイバの大部分を幅広巻取部２３に長尺に巻き取ることが行なわれる。そしてボビンに巻き取られた光ファイバの特性測定を行うために、幅狭巻取部２１に巻き取られた部分が利用されるのが一般的である。
【０００８】
上述のように極めて狭い幅の巻取部２１に光ファイバを巻き取るにあたって、前述の図２１〜図２３に示される従来の方法を適用しようとした場合、実際上は巻取りが困難となることが多い。その理由を、図２５を参照して説明する。
すなわち、大径の第２の鍔部（中間鍔部）２５Ｂの外周側に位置する横移動部材１５を矢印２６の方向へ移動させて光ファイバ１１を押したとしても、光ファイバ１１が第２の鍔部２５Ｂを乗り越えて移行し得る状態（第２の鍔部２５Ｂに対する角度が一定以上となる状態）となる前に、光ファイバ１１が、第２の鍔部２５の角部に当接（図２５中の丸囲い部分２４において当接）してしまって、小径の第１の鍔部２５と大径の第２の鍔部２５Ｂとの間では、光ファイバ１１がそれより先へは動けなくなって、外側の第１の鍔部２５Ａと中間の第２の鍔部２５Ｂとの間の幅狭巻取部２１に光ファイバ１１を落とし込むことができなくなるためである。
【０００９】
そのため、図２４に示すような幅狭巻取部２１を有するボビン２０を用いて、光ファイバ１１を幅狭巻取部２１に巻き付けるにあたっては、光ファイバ１１の端末を第２の鍔部２５Ｂの基端部分に形成されるファイバ通し用の貫通穴（図示せず）に通して幅狭巻取部２１に導き、手作業によって光ファイバ１１を幅狭巻取部２３に巻き付けた後、光ファイバ１１の端末を固定せざるを得なかった。すなわち、光ファイバ１１の端末の固定作業と、幅広巻取部２１への巻き付け作業は自動化し得るにもかかわらず、幅狭巻取部２１への巻き付けは自動化することができず、それが光ファイバ巻き取り全自動化による巻き取り工程の省力化、生産性向上の大きなネックとなっていたのである。
【００１０】
なお、以上のところでは、一つのボビン２０に、極めて小さい幅Ｗ１の第１の巻取部（幅狭巻取部）２１と、大きな幅Ｗ２の第２の巻取部（幅広巻取部）２３との両者が形成されている場合について説明したが、一つの巻取部のみを有するボビンであっても、その巻取部の幅が極めて狭い場合には、上記と同様な問題が発生する可能性がある。
【先行技術文献】
【特許文献】
【００１１】
【特許文献１】特開２０００−７２３２９号公報
【発明の概要】
【発明が解決しようとする課題】
【００１２】
本発明は以上の事情を背景としてなされたもので、ボビンへの光ファイバの巻き取り開始にあたって、光ファイバの端末をボビンの鍔部の外面側に挟んで固定するための固定具として、単に光ファイバの端末を挟持するだけではなく、幅の狭い巻取部を有するボビンの場合においても、その幅の狭い巻取部に光ファイバを導入させる機能を付与した光ファイバ端末固定具を提供し、併せてその光ファイバ端末固定具を用いて巻き取りを行なうことによって、幅の狭い巻取部にも光ファイバを容易かつ確実に導入することが可能な光ファイバ巻き取り方法を提供し、これによって幅が狭い巻取部に対する光ファイバの巻き付け作業も、手作業によらずに自動化し得るようにして、幅が狭い巻取部を有するボビンを用いての巻き取り作業の省力化、能率向上を図ることを課題としている。
【課題を解決するための手段】
【００１３】
本発明は、基本的には、ボビンの外側の鍔部に光ファイバの端末を挟んで固定・保持するための固定具、すなわち従来技術として示した図２２における固定盤９に対応する部材について、その形状を従来とは変えることによって、その固定具に、幅の狭い巻取部に光ファイバを容易かつ確実に導入させる機能を付与し得ることを見い出してなされたものである。
【００１４】
すなわち本発明の基本的な態様（第１の態様）による光ファイバ巻き取り用の光ファイバ端末固定具は、
巻取機の回転軸に装着されて、光ファイバ巻き取り用ボビンの外側の第１の鍔部との間で、巻き取るべき光ファイバの巻き始め側の端末部分を挟持し、その端末部分を固定するための光ファイバ巻き取り用の光ファイバ端末固定具において、
全体として円盤状をなす基体からなり、
かつ前記円盤状基体の盤面には、ボビンの前記第１の鍔部との間で光ファイバの端末部分を挟む挟持面を有し、
さらに前記円盤状基体におけるボビン側の盤面の外周側の部位には、ボビンに向かって突出しかつボビンの第１の鍔部の外径よりも大きい径で周方向に連続する隆起部が形成されていることを特徴とするものである。
【００１５】
また本発明の第２の態様による光ファイバ巻き取り用の光ファイバ端末固定具は、前記第１の態様の光ファイバ端末固定具において、
前記挟持面の延長面からの前記隆起部の突出高さが、ボビンの前記第１の鍔部の厚みより大きいことを特徴とするものである。
【００１６】
さらに本発明の第３の態様による光ファイバ巻き取り用の光ファイバ端末固定具は、前記第１もしくは第２の態様の光ファイバ端末固定具において、
前記円盤状基体の半径方向における前記隆起部の断面形状が、略三角形状とされていることを特徴とするものである。
【００１７】
また本発明の第４〜第８の態様は、上述のような光ファイバ端末固定具を用いた光ファイバの巻き取り方法についての態様である。
【００１８】
すなわち本発明の第４の態様による光ファイバ巻き取り方法は、
前記第１〜第３のいずれかの態様の光ファイバ端末固定具と、前記第１の鍔部とその第１の鍔部の隣の第２の鍔部との間に前記第１の巻取部が区画形成されたボビンとを用い、
光ファイバの巻き始め側の端末部分を、前記光ファイバ端末固定具の挟持面と前記ボビンの前記第１の鍔部との間に挟んで固定するとともに、光ファイバの一部を、前記隆起部によってボビン側に押しやり、続いて光ファイバ端末固定具とボビンとを一体に回転させて、光ファイバの一部を、前記第１の鍔部を乗り越えさせ、前記第１の巻取部に光ファイバを巻き取ることを特徴とするものである。
【００１９】
また本発明の第５の態様による光ファイバ巻き取り方法は、前記第４の態様の光ファイバ巻き取り方法において、
前記ボビンとして、第１の鍔部の外周縁から内側に切り込まれた導入溝を有するボビンを用い、光ファイバの巻き始め側の端末部分を、光ファイバ端末固定具の挟持面とボビンの第１の鍔部との間に挟んで固定するとともに、光ファイバの一部を、前記隆起部によってボビン側に押しやり、続いて前記光ファイバ端末固定具とボビンとを一体に回転させて、光ファイバの一部を、前記第１の鍔部を乗り越えさせるに当たり、その光ファイバの一部を、前記導入溝の側縁に係合させて、その導入溝内を通すことを特徴とするものである。
【００２０】
さらに本発明の第６の態様による光ファイバ巻き取り方法は、前記第４の態様の光ファイバ巻き取り方法において、
前記ボビンおよび前記光ファイバ端末固定具の各部位の寸法を、
Ａ：ボビンの第１の巻取部の幅、
Ｂ：ボビンの前記第１の鍔部の厚み、
Ｃ１：ボビンの前記第１の鍔部の高さ、
Ｃ２：ボビンの前記第１の鍔部の導入溝の深さ、
Ｒ：導入溝の側縁が面取りされている場合の面取り部分の曲率半径、
Ｄ：光ファイバ端末固定具における前記挟持面の延長面から前記隆起部の頂部までの高さ、
Ｅ：ボビンおよび光ファイバ端末固定具の半径方向における、ボビンの前記第１の鍔部の外周縁から光ファイバ端末固定具の隆起部の頂部までの距離、
Ｌ：ボビンの回転軸と平行な方向における、前記第１の鍔部と前記第２の鍔部との間の間隔、
と定義し、次の（１）式、（２）式および（３）式が満たされるように、前記ボビンおよび前記光ファイバ端末固定具の各部位の寸法を定めておくことを特徴とするものである。
【００２１】
【数１】
2015009987.tif 000003
【００２２】
【数２】
2015009987.tif 000004
【００２３】
【数３】
2015009987.tif 000005
【００２４】
さらに本発明の第７の態様による光ファイバ巻き取り方法は、前記第４〜第６のいずれかの態様の光ファイバ巻き取り方法において、
前記ボビンとして、前記第１の鍔部および第２の鍔部のほか、第３の鍔部を有し、前記第１の鍔部と第３の鍔部が回転軸線に沿った方向の両端側に形成され、前記第２の鍔部が第１の鍔部と第３の鍔部との間に形成され、かつ前記第１の鍔部と第２の鍔部との間に、前記第１の巻取部が区画形成され、第２の鍔部と第３の鍔部との間に、第２の巻取部が区画形成され、しかも前記第１の巻取部は回転軸線に沿った方向の幅が、前記第２の巻取部の回転軸線に沿った方向の幅よりも小さく定められたものを用いることを特徴とするものである。
【００２５】
そして本発明の第８の態様による光ファイバ巻き取り方法は、前記第７の態様の光ファイバ巻き取り方法において、
前記ボビンとして、前記第１の鍔部の外径が前記第２の鍔部の外径よりも小さいものを用いることを特徴とするものである。
【発明の効果】
【００２６】
本発明の光ファイバ端末固定具を用いれば、ボビンへの光ファイバの巻き取りを開始するにあたって、光ファイバの巻き始め側の端末をボビンの鍔部の外面側に挟んで挟持するだけではなく、幅の狭い巻取部を有するボビンの場合においても、その幅の狭い巻取部に光ファイバを確実かつ容易に導入させることができる。また本発明の巻き取り方法によれば、その光ファイバ端末固定具を用いて巻き取りを行なうことによって、幅が狭い巻取部に対する光ファイバの巻き付け作業を、手作業によらずに自動化することが可能であり、したがって、幅が狭い巻取部を有するボビンを用いての巻き取り作業の省力化、能率向上を図ることができる。
なおまた、本発明では、光ファイバ端末固定具に、巻き取り開始時における巻き取り開始補助部材の機能（例えば従来法における横移動部材の機能など）を担わせているため、別に巻き取り開始補助部材を配置するためのスペースを省くことも可能であり、したがって巻取機周辺の省スペース化にも寄与しうるとともに、巻き始め端末の固定後に改めて巻取補助部材を作動させる必要がないため、巻取部に対する巻取開始までに要する時間も短くすることができる。
【図面の簡単な説明】
【００２７】
【図１】本発明の一実施形態の光ファイバ端末固定具を示す右側面図である。
【図２】図１のＩＩ−ＩＩ線における断面図である。
【図３】図１、図２に示される光ファイバ端末固定具と組合わせて使用されるボビンの一例を示す左側面図である。
【図４】図３に示されるボビンの部分切欠正面図である。
【図５】図３に示されるボビンの外側の第１の鍔部について、その導入溝の付近を拡大して示す左側面図である。
【図６】図５のＶＩ―ＶＩ線における断面図である。
【図７】図５のＶＩＩ―ＶＩＩ線における断面図である。
【図８】図３、図４に示されるボビンとを組合わせて光ファイバの巻き取りを開始するに当たって、光ファイバの巻き始め側端末の固定前の段階を示す部分切欠正面図である。
【図９】図８の段階に続いて、光ファイバの巻き始め側端末を固定した段階を示す部分切欠正面図である。
【図１０】図８の要部を拡大して示す断面図である。
【図１１】図９の段階に引き続き、ボビンを回転させた時に光ファイバが導入溝に導入される状況を段階的に示す、左側面側からの模式図である。
【図１２】光ファイバ端末固定具およびボビンの各部の寸法の定義を示す、図１０と同様な位置での模式図である。
【図１３】本発明の光ファイバ端末固定具とボビンについての各部の望ましい寸法関係を導き出すための説明するための図で、導入溝の側縁が面取りされていない場合について従来法を実施したときの状況を示す第１の説明図である。
【図１４】図１３と同様な状況についての第２の説明図である。
【図１５】図１３と同様な状況についての第３の説明図である。
【図１６】本発明の光ファイバ端末固定具とボビンについての各部の望ましい寸法関係を導き出すための説明するための図で、導入溝の側縁が面取りされてる場合について従来法を実施したときの状況を示す第１の説明図である。
【図１７】図１６と同様な状況についての第２の説明図である。
【図１８】図１５と同様な状況についての第３の説明図である。
【図１９】導入溝に関して説明するための模式図である。
【図２０】本発明の方法により光ファイバを幅の狭い巻取部に巻き取る場合の光ファイバ端末固定具およびボビンの各部の寸法関係を示す略解図である。
【図２１】光ファイバの巻き始め端末付近をボビンの巻胴に導入するための従来方法の一例を示す模式的な左側面図である。
【図２２】図２１に対する模式的な正面図である。
【図２３】図２１に示される従来方法を実施する際の鍔部の導入溝を示す斜視図である。
【図２４】光ファイバの巻き取りに使用されるボビンの一例を示す略解的な正面図である。
【図２５】従来方法によって図２４に示されるボビンに光ファイバの巻き始め端末付近を巻き付けようとした際の状況を示す模式図である。
【発明を実施するための形態】
【００２８】
以下、本発明の実施形態について詳細に説明する。
図１、図２には、本発明の光ファイバ端末固定具の一例の全体構成を示す。
図１、図２において、光ファイバ端末固定具３０は、例えばＡＢＳ樹脂などの比較的硬質な樹脂あるいはアルミなどの金属によって、全体として円盤状をなす基体（円盤状基体）３２によって構成されている。その円盤状基体３２の中央部には、図示しない巻取機の回転軸を挿通させるための軸孔３４が、中心軸線Ｏに沿って貫通形成されている。さらにその円盤状基体３２の一方の盤面３２Ａにおける外周縁に近い部分には、中心軸線Ｏと平行な方向に突出する隆起部３６が形成されている。
【００２９】
前記隆起部３６は、円盤状基体３２の周方向に沿って連続しており、その隆起部３６における円盤状基体３２の半径方向の断面形状は、頂部（最大突出位置の箇所）３６Ａの両側が傾斜面３６Ｂ、３６Ｃとされた三角形状もしくはそれに類する形状とされている。すなわち隆起部３６は、頂部３６Ａに向かって円盤状基体３２の外周縁から縮径方向に傾斜する外周側傾斜面３６Ｂと、円盤状基体３２の内側盤面３２Ａから頂部３６Ａに向かって拡径方向に傾斜する内周側傾斜面３６Ｃとによって、その断面の三角形状もしくはそれに類する形状の輪郭が形成されている。ここで、隆起部３６は、光ファイバと接触する部位であるから、光ファイバを傷つけることや引っ掛けることがないよう、表面を平滑にしておくことが望ましい。特に隆起部３６の頂部３６Ａは、滑らかな円弧面となるように面取りした形状とすることが望ましい。
【００３０】
また円盤状基体３２における内側の盤面３２Ａ、すなわち隆起部３６が突出している側と同じ側の盤面３２Ａは、後述するボビン２０の小径外側鍔部（第１の鍔部）２５Ａに対面して、光ファイバの巻き始め端末部分を挟んで固定するための挟持面３８とされている。ここで、円盤状基体３２における隆起部３６よりも内側の盤面３２Ａについて、円盤状基体３２の材質を適切に選定するか、あるいは表面粗面化処理、粗面化加工を施すことによって、光ファイバ端末が滑らない程度の摩擦係数を有する平坦面とし、その平坦面自体が前記挟持面３８の機能を果たすようにしてもよく、あるいは図示はしないが、ゴムなどの摩擦係数が高い材料からなるシート状緩衝材を内側盤面３２Ａに貼着して挟持面３８を形成しても良い。なおシート状緩衝材を内側盤面３２Ａに貼着して挟持面３８を形成する場合、そのシート状緩衝部材は、必ずしも内側盤面３２Ａの全面に貼着する必要はなく、内側盤面３２Ａの一部に貼着したり、複数に分割して内側盤面３２Ａの複数の箇所に貼着して、複数の挟持面３８を形成したりしても良い。
【００３１】
ここで、本実施形態において隆起部３６における半径方向の断面形状が三角形状もしくはそれに類する形状（略三角形状）としている理由について、後述する図３、図４のボビン２０との関係に基づいて、次に説明する。
【００３２】
隆起部３６の内周側傾斜面３６Ｃは、端末を挟持した光ファイバに強い曲げを加えず、傷付けないために有効に機能する。仮にこの内周側傾斜面３６Ｃに対応する部位が階段状になっていたとすれば、光ファイバが階段の角に押し当てられて急激に曲がり、また階段の角に擦れて傷付く恐れがある。
【００３３】
一方、外周側傾斜面３６Ｂは、光ファイバの走行軌道が多少乱れた場合でも、光ファイバを逃がすことなく、光ファイバを第１の巻取部（幅狭巻取部）２１に巻き取るために有効に機能する。仮に外周側傾斜面３６Ｂに対応する箇所が、円盤状基体３２の盤面に垂直な面（あるいは図２とは逆向きの斜面）になっていたとすれば、光ファイバは円盤状基体３２の外周上あるいはボビンとは反対側の部材（光ファイバ端末固定具３０の外周上や巻取機側）に巻き取られる恐れがある。
【００３４】
さらに光ファイバ端末固定具３０は、後述するように挟持面３８をボビン２０の外側の第１の鍔部２５Ａの外面（平坦面）に密着させる必要があり、そこで隆起部３６は、第１の鍔部２５Ａの外縁よりも外周側となる位置に形成しておく。すなわち、隆起部３６における内周側傾斜面３６Ｃの基端（立ち上がり箇所）３６Ｃａの径ｄ３は、第１の巻取部（幅狭巻取部）２１の外側の第１の鍔部２５Ａの径ｄ１(図４参照)より大きい径とする。但し、光ファイバを導きやすくするためには、内周側傾斜面３６Ｃの基端３６Ｃａの径ｄ３は、第１の巻取部２１の外側の第１の鍔部２５Ａの径ｄ１に近いことが望ましい。
【００３５】
なお、隆起部３６の頂部３６Ａが、第１の巻取部（幅狭巻取部）２１の外側の第１の鍔部２５Ａから離れ過ぎる場合には、後に改めて各部の寸法関係について説明するように、光ファイバの傾きが、第１の鍔部２５Ａを乗り越えるためには不十分となるおそれがある。一方、隆起部３６の頂部３６Ａが第１の鍔部２５Ａに当接すれば、隆起部３６と第１の鍔部２５Ａとの間に光ファイバが挟まれて円滑に巻き取りを進めることができなくなったり、光ファイバが損傷あるいは折れ曲がったりするおそれがあるから、隆起部３６の頂部（最大高さの箇所）３６Ａの高さ（挟持面３８の延長面からの高さ）は、ボビン２０の外側の第１の鍔部２５Ａの厚みよりも大きく、しかも第１の鍔部２５Ａに接しないような高さとすることが望ましい。このように、光ファイバ端末固定具３０の各部の寸法は、ボビン２０の各部の寸法に応じて適切に決定することが望ましく、その詳細については後述する。
【００３６】
図３、図４には、図１、図２に示した光ファイバ端末固定具３０と組合わせて使用される光ファイバ巻き取り用のボビン２０の一例を示す。
このボビン２０は、基本的には、図２４に示したものと同様に、径がｄ１の小径の外側鍔部（第１の鍔部）２５Ａと、径がｄ２の大径の中間鍔部（第２の鍔部）２５Ｂとの間に、中心軸線（回転軸線）Ｏに沿った方向への幅Ｗ１が小さい幅狭巻取部（第１の巻取部）２１が形成され、中間鍔部（第２の鍔部）２５Ｂと、径がＤ２の大径の外側鍔部（第３の鍔部）２５Ｃとの間に、回転軸線に沿った方向への幅Ｗ２が大きい幅広巻取部（第２の巻取部）２３が形成されている。また一般のボビンと同様に、巻取機の回転軸（巻き取り軸）が挿通される軸孔２７が形成されている。そして、本例のボビン２０においては、幅広巻取部（第２の巻取部）２３の両側の大径鍔部（第２の鍔部２５Ｂおよび第３の鍔部２５Ｃ）に、外周側から切り込まれたスリット２２が形成されている。また本例のボビン２０においては、幅広巻取部（第２の巻取部）２３の両側の大径鍔部（第２の鍔部２５Ｂおよび第３の鍔部２５Ｃ）の外面側に、補強用の複数条のリブ２９が設けられている。これらのリブ２７は必須のものではないが、鍔部の薄肉軽量化に伴う強度低下を補うために設けることが多い。
【００３７】
さらに、ボビン２０における幅狭の第１の巻取部２１の外側の第１の鍔部２５Ａの所定箇所には、その外周縁面２５Ａａから半径方向内側に切り込まれた導入溝２８が形成されている。この導入溝２８の詳細を、図５〜図７に示す。なお図５は、図３と同じく左側面における導入溝２８付近を拡大して示し、図６は図５のＶＩ−ＶＩ線における断面、図７は図６におけるＶＩＩ−ＶＩＩ線での断面を示している。
【００３８】
図５に示すように、導入溝２８は、ボビン２０の回転軸線に沿った方向から見た両側の側縁部２８Ａ、２８Ｂと、底縁部２８Ｃとの境界領域２８Ｄ、２８Ｅが、滑らかな彎曲状をなしており、また外側鍔部２５Ａの円周面状の外周縁面２５Ａａと導入溝２８の側縁部２８Ａ、２８Ｂとの境界領域２８Ｆ、２８Ｇも、同様に滑らかな彎曲状をなしている。
また図６、図７に示すように、外側鍔部２５Ａの外周縁面２５Ａａから、導入溝２８における前述の境界領域２８Ｆから、側縁部２８Ａ、境界領域２８Ｄ、底縁部２８Ａ、境界領域２８Ｄ、側縁部２８Ｂ、および境界領域２８Ｇを経て外側鍔部２５Ａの外周縁面２５Ａａに戻る部分は、厚み方向に沿った断面で見て、その角部が曲率半径Ｒで面取りされている。また、外側鍔部２５Ａの外周縁２５Ａａにおける導入溝２８以外の部分も、その厚み方向の断面の角部が面取りされていることが望ましい。
なお上記のような導入溝２８は、後に改めて説明するように、必ずしも必須のものではなく、鍔部２５Ａの外周縁が導入溝を持たない単純な円筒面状となっていても良いが、ここでは、導入溝２８を有することとして説明を進める。
【００３９】
図１、図２に示した光ファイバ端末固定具３０を用いて、図３〜図７に示すボビン２０に光ファイバ１１を巻き取る方法、特に光ファイバ端末固定具３０によって光ファイバ１１の巻き始め端末を固定し、さらにボビン２０の第１の巻取部（幅狭巻取部）２１に光ファイバを巻き付けるための方法について、図８〜図１１を参照して説明する。なお以下の説明では、光ファイバ端末固定具３０を、単に固定具３０と称することがある。
【００４０】
まず、図８に示すように、光ファイバ端末固定具３０を、巻取機の回転軸（巻き取り軸）７に、その回転軸７と一体に回転するように装着する。さらにボビン２０を、その外側のの第１の鍔部２５Ａの外面が、固定具３０における円盤状基体３２の盤面（挟持面３８）に対向するように、巻取機の回転軸（巻き取り軸）７に取り付ける。またそのボビン２０の装着の前もしくは後に、巻き取るべき光ファイバ１１の端末部分を、固定具３０の挟持面３８とボビン２０の第１の鍔部２５Ａとの間に位置するようにセットする（垂らしこむ）。
【００４１】
次いで、図９に示しているように、ボビン２０の第１の鍔部２５Ａが、固定具３０の挟持面３８に接する位置まで移動させて、第１の鍔部２５Ａを挟持面３８に押し付け、巻き取るべき光ファイバ１１の端末部分を、固定具３０の挟持面３８とボビン２０の外側鍔部２５Ａとの間に挟み込んで、固定・保持させる。なおボビン２０を固定具３０の挟持面３８に押し付ける力は、巻取張力が掛かっても光ファイバ１１が滑らないように、固定具３０の挟持面３８およびボビン２０の第１の鍔部２５Ａの平坦面と光ファイバ１１の間の静摩擦係数、およびその間に挟む光ファイバ１１の長さに応じて適切に定めることが望ましい。
【００４２】
上述のようにして光ファイバ１１の端末部分を固定具３０の挟持面３８とボビン２０の外側の第１の鍔部２５Ａとの間に挟み込むと同時に、光ファイバ１１は、図９、図１０に示しているように、固定具３０の隆起部３６によってボビン２０の第２の鍔部（中間側鍔部）２５Ｂに向かって押しやられる。すなわち、固定具３０の隆起部３６における内周側傾斜面３６Ｃの基端（立ち上がり箇所）３６Ｃａの径ｄ３が、ボビン２０の第１の鍔部２５Ａの径ｄ１より大きい径とされているから、隆起部３６は第１の鍔部２５Ａの外縁よりも外周側に位置し、かつ第２の鍔部（中間鍔部）２５Ｂに向かって突出（隆起）しており、そのため光ファイバ１１は隆起部３６によって第２の鍔部２５Ｂに向け押し込まれることになる。
【００４３】
続いてボビン２０を巻取方向に回転させれば、光ファイバ１１はボビン２０の外側の第１の鍔部２５Ａを乗り越えて、第１の巻取部（幅狭巻取部）２１に導入される。
【００４４】
ここで、ボビン２０として、外側の第１の鍔部２５Ａに導入溝２８が形成されているものを用いている場合には、図１１に示しているように、ボビン２０を巻き取り方向に回転（その回転方向を矢印で示す）させれば、固定具３０の隆起部３６によってボビン２０の外側の第１の鍔部２５Ａに向かって押しやられた光ファイバ１１の一部が、導入溝２８に引っ掛かり、さらにボビン２０を回転させれば、光ファイバ１１は、導入溝２８内を通って光ファイバ１１は外側鍔部２５Ａを越え、その外側鍔部２５Ａの内側、すなわち第１の巻取部（幅狭巻取部）２１に円滑に導入される。
【００４５】
なお、上記の導入溝２８は、光ファイバ１１がボビン外側の第１の鍔部２５Ａを乗り越え易くするための補助として形成したものであって、このような導入溝２８がない場合、すなわち第１の鍔部２５Ａの外周縁が一様な円周面である場合であっても、固定具３０として隆起部３６を有するものを用いれば、その隆起部３６による光ファイバ１１の押し込みによって、光ファイバ１１を、ボビン外側の第１の鍔部２５を乗り越えさせることが可能である。
ただしその場合は、光ファイバ１１が第１の鍔部２５Ａの外周縁面上に一定長巻き取られた後に、その一定長が、一斉に第１の鍔部２５Ａの内側の第１の巻取部（幅狭巻取部）２１に落ち込んで、その巻取部２１での巻き取りが開始されるため、時間を要するに加え、巻取不良が発生するおそれも若干あり、したがってボビン外側の第１の鍔部２５Ａには導入溝２８を形成しておくことが望ましい。
【００４６】
なおまた、導入溝２８を形成しておいた場合でも、ボビン２０の回転開始時において、その前に挟持した光ファイバ１１の巻き始め端と導入溝２８が巻取回転方向に離れている場合には、導入溝２８が光ファイバ１１の位置に至る以前に、光ファイバ１１が第１の鍔部２５Ａの外周縁面上に一定長巻き取られて、前記と同様にその一定長が、一斉に第１の鍔部２５Ａの内側の幅狭巻取部２１に落ち込み、その第１の巻取部２１での巻き取りが開始される懸念もある。しかしながら、導入溝２８がない場合と比較すれば、その懸念は少ないと言うことができる。
【００４７】
次に、光ファイバ端末固定具３０とボビン２０の各部の望ましい寸法関係について図１２〜図２０を参照して説明する。
各部の寸法を表す符号は、図１２に示すように、以下の通りである。
Ａ：第１の巻取部（幅狭巻取部）２１の幅（＝Ｗ１）。
Ｂ：第１の巻取部（幅狭巻取部）２１の外側の第１の鍔部２５Ａの厚み。
Ｃ１：第１の巻取部（幅狭巻取部）２１の外側の第１の鍔部２５Ａの高さ。
Ｃ２：第１の鍔部２５Ａに形成した導入溝２８の深さ。
Ｒ：導入溝２８の側縁が面取りされている場合の面取り部分の曲率半径(図１６〜図１８参照：面取りされていない場合はＲ＝０)。
Ｄ：固定具３０の隆起部３６の高さ（挟持面３８の延長面から隆起部３６の頂部３６Ａまでの高さ）。
Ｅ：ボビン２０および固定具２０の半径方向における、第１の巻取部２１の外側の第１の鍔部２５Ａの外周縁から、隆起部３６の頂部３６Ａまでの距離。
Ｌ：ボビン２０の回転軸と平行な方向における、第１の鍔部２５Ａと第２の鍔部（中間鍔部）２５Ｂとの間の間隔（第２の鍔部２５Ｂの外側にリブ２９が形成されている場合には、第１の鍔部２５Ａの内面と、図１２中に示すようにリブ２９を含む第２の鍔部２５Ｂの最外面側の面との間の間隔）。
Ｈ：第２の巻取部（幅広巻取部）２３の外周面からの第２の鍔部（中間鍔部）２５Ｂの高さ。
【００４８】
なお図１２では、導入溝２８の深さＣ２は、第１の鍔部２５Ａの高さＣ１よりも小さいものとしているが、導入溝２８の深さＣ２は第１の鍔部２５Ａの高さＣ１と同じであっても良い。すなわちＣ１＝Ｃ２であってもよい。
【００４９】
上記のように各部の寸法を定義すれば、先ず、隆起部３６を持たない固定具（したがって従来と同様の平坦な円盤状の固定具；実質的に挟持面３８のみの固定具）を使用したと仮定する。そしてその場合でも、光ファイバの端末部分を挟持した後に、光ファイバを巻取部へ導くことが可能なボビン寸法の関係式は、次の（４）式で表すことができる。なおここでは、第１の鍔部２５Ａの導入溝２８は、その縁が面取りされていない（すなわち面取りの曲率半径Ｒ＝０）と仮定している。
【００５０】
【数４】
2015009987.tif 000006
【００５１】
（４）式について、次に図１３〜図１５を参照して説明する。なお図１３〜図１５では、説明の簡略化のため、第１の鍔部２５Ａのリブ２９については省略している。その点は、後に引用する図１６〜図１８および図２０も同様である。
（４）式の左辺は、図１３に模式的に示しているように、挟持面３８に挟持された光ファイバ１１を、導入溝２８の底部の挟持面３８側の箇所（面取りされていない縁）から第１の鍔部２５Ａの外周縁の位置（第２の鍔部２５Ｂの側の縁）との間に光ファイバ１１を張った場合の傾きを表している。一方、（４）式の右辺は、図１４に模式的に示しているように、挟持面３８から導入溝２８の底部を経て、第２の鍔部２５Ｂの外周縁部の角（第１の鍔部２５Ａの側の角）に、光ファイバ１１を張った場合の傾きを表している。
ここで上記（４）式の左辺が右辺より大きければ、従来例のような横移動部材（例えば図２１、図２２の符号１５）によって光ファイバ１１を第２の鍔部２５Ｂの角に接触するまでボビン２０側へ押し込めば、光ファイバ１１は、導入溝２８を跨いで引っ掛かることにより、巻取部２１に導かれる。その時のボビン２０と光ファイバ１１との位置関係は、導入溝２８を真上から見れば、図１５に示す状況となる。
【００５２】
導入溝２８の側縁が図１６〜図１８に示すようにＲの曲率半径（または縁端から面取り開始点までの距離）で面取りされている場合は、上記（４）式は、次の（５）式に変形される。
【００５３】
【数５】
2015009987.tif 000007
【００５４】
導入溝２８の側縁が曲率半径Ｒで面取りされている場合の上記（５）式における左辺の状況を図１６、右辺の状況を図１７に示す。導入溝２０の側縁が図１６〜図１８のように面取りされている場合、光ファイバ１１が導入溝２８の面取り箇所に押し付けられれば、光ファイバ１１はその面取りされた曲面に沿って滑り、巻取部２１に導かれると考えられる。この時のボビン２０と光ファイバ１１との位置関係は、導入溝２８を真上から見れば図１８のようになる。
【００５５】
以上では、本発明の光ファイバ端末固定具３０において特徴的な隆起部３６を持たない固定具を使用し、横移動部材を用いて従来法に従った巻き取りを行なった場合に巻き取り可能な条件を示したが、隆起部３６を持つ本発明の固定具を用いれば、逆に上記の条件を満たさない場合、すなわち横移動部材を用いても自動的な巻き取りが困難であった場合にも、巻き取りを行なうことが可能となる。これは、上記の（４）式または（５）式を満たさない場合において、本発明が効果を発揮することを意味する。従って、本発明を適用する際に最適なボビン寸法の関係式は、次の（６）式（既に示した（１）式と同じ）のように表される。なお導入溝２８の側縁が面取りされていない場合は、（６）式においてＲ＝０とすればよい。
【００５６】
【数６】
2015009987.tif 000008
【００５７】
ここで、光ファイバ１１を誘導する目的で導入溝２８を用いる場合は、光ファイバ１１が引っ掛かる条件を満たす導入溝２８であることが求められる。その条件とは、図１９に示すように、導入溝２８に引っ掛かった状態の光ファイバ１１の接線軌道Ｐよりも外周側へ（すなわち接線軌道Ｐに対して矢印Ｑ側に）、導入溝２８の端部の鍔部外周縁面部分Ｓが隆起していることである。そのような条件を満たす形状の導入溝２８であれば、光ファイバ１１を導入溝２８に引っ掛けることが可能となる。
【００５８】
前記の条件を満たす導入溝２８を利用し、隆起部３６を持つ固定具３０を使用して巻き取りを行う場合の、固定具３０およびボビン２０の各部の最適な寸法関係について、図２０を参照して以下に述べる。
まず、光ファイバ１１が導入溝２８を跨いで巻取部２１に導入される条件は次の（７）式（既に示した（２）式と同じ）で表される。
【００５９】
【数７】
2015009987.tif 000009
【００６０】
（７）式の左辺は、図２０に示すように、挟持面３８から導入溝２８の底部を経て、固定具３０の隆起部３６の頂部３６Ａに当接するように張った光ファイバ１１の傾きを示している。また（７）式の右辺は、図１４、図１７に示したように、挟持面３８から導入溝２８の底部を経て、第２の鍔部（中間鍔部）２５Ｂの外周縁上において面取りが始まる境界（第１の巻取部２１の側）に接するように張った光ファイバ１１の傾きを示している。（７）式における左辺が右辺よりも小さいということは、固定具３０の隆起部３６の先端（頂部３６Ａ）により光ファイバ１１を第２の鍔部２５Ｂの側へ押し込むことによって、光ファイバ１１が導入溝２８を通って外側の第１の鍔部２５Ａを越え、第１の巻取部（幅狭巻取部）２１に導かれることを意味している。
【００６１】
ただし、固定具３０の隆起部３６の先端（頂部３６Ａ）が第１の巻取部（幅狭巻取部）２１の領域を完全に越えてしまえば、第２の鍔部２５Ｂに隆起部３６の先端が当たってしまうから、次の（８）式（既に示した（３）と同じ）が満たされることが望ましい。
【００６２】
【数８】
2015009987.tif 000010
【００６３】
なお上記の（８）式を踏まえれば、前述の（７）式は、次の（９）式で表すこともできる。
【００６４】
【数９】
2015009987.tif 000011
【００６５】
なお、（９）式におけるＥが小さい（隆起部３６の頂部３６Ａと第１の鍔部３５Ａの外周縁が近い）ほど、光ファイバ１１を小さく曲げることになるため、Ｅの下限は、光ファイバ１１の許容曲げ径によって定められる。
【００６６】
以上のように、（６）式、（７）式、（８）式で規定される各条件、言い換えれば、（１）式、（２）式、（３）式で規定される各条件を満たす寸法のボビン２０および光ファイバ端末固定具３０を組合わせて光ファイバの巻き取りを行なえば、幅の狭い巻取部に対しても、端末が固定具の挟持面とボビンの外側の鍔部（第１の鍔部）との間に挟持されて固定された光ファイバを、確実かつ容易に幅の狭い巻取部に導入することができる。すなわち、端末が固定された光ファイバを、巻き取り開始時のボビンの回転に伴って幅の狭い巻取部に自動的に導入することができる。したがって、適宜プログラムを組んでおけば、光ファイバの巻き始め端末を固定してからボビンへの巻き取りを行なう工程を自動化することが可能となる。
【００６７】
また、本発明の場合、光ファイバを誘導するための部分（隆起部３６）が、巻取機に装着される光ファイバ端末固定具３０に一体化されているため、特に装置占有面積を増大させることなく、必要最小限の占有空間で本発明の巻き取り方法を実施することができる。
さらに、光ファイバの巻き始め端末を固定具３０とボビン鍔側面との間に挟んで固定するだけで、光ファイバを巻取部に導入する準備が完了する。従って巻き始め端末の固定後に、改めて光ファイバを誘導するための装置を動かす必要がないため、巻取開始までに要する時間も増加しない。
【００６８】
なお、前述のようにして幅の狭い第１の巻取部２１に光ファイバ１１を巻き取った後、継続して第２の巻取部２３に光ファイバ１１を巻き取る場合、たとえば第２の鍔部２５Ｂに形成されているスリット２２（図３参照）を通して、光ファイバ１１を第１の巻取部２１から第２の巻取部２３に導けば良く、したがって第１の巻取部２１での巻き取りから第２の巻取部２３出の巻き取りの移行も、容易に自動化することが可能である。
【００６９】
前述の各条件を満たす２種類のボビンＡ、ボビンＢ及び１種類の光ファイバ端末固定具を用いて、光ファイバの固定（固定具３０の挟持面３８とボビン２０の第１の鍔部３５Ａとの間での挟持）及び巻取実験を行った。
実験を行った２種類のボビンＡ、ボビンＢ及び1種類の光ファイバ端末固定具の各部位の寸法を下記の表1に示す。さらにそれらの各寸法が、（１）式、（２）式、（３）式を満たすことを検証した結果を表２に示す。
【００７０】
【表１】
2015009987.tif 000012
【００７１】
【表２】
2015009987.tif 000013
【００７２】
各ボビンＡ、Ｂを、それぞれ光ファイバ端末固定具と組合わせ、光ファイバの巻き始め側の端末を、固定具の挟持面３８とボビンの第１の鍔部との間での挟持固定し、その後にボビンを回転させて光ファイバを導入溝から第１の巻取部（幅狭巻取部）へ導き、一定長巻き取るという実験を行ったが、いずれの場合においても、光ファイバを円滑に第１の巻取部（幅狭巻取部）に巻き取ることができた。
【００７３】
なお上述の各実施形態では、幅の狭い第１の巻取部（幅狭巻取部）２１と、幅の広い第２の巻取部（幅広巻取部）２３とを有するボビン２０を用いて、幅の狭い第１の巻取部（幅狭巻取部）２１に光ファイバ１１を巻き取る場合について説明したが、幅の狭い巻取部を単独で有するボビンに巻き取る場合にも、本発明の光ファイバ端末固定具、および本発明の巻き取り方法を適用しうることはもちろんである。
【００７４】
以上、本発明の好ましい実施形態および実験例を説明したが、本発明はこれらの実施形態、実験例に限定されないことはもちろんである。本発明の趣旨を逸脱しない範囲で、構成の付加、省略、置換、およびその他の変更が可能である。
【符号の説明】
【００７５】
１１・・・光ファイバ、２０・・・ボビン、２１・・・第１の巻取部（幅狭巻取部）、２３・・・第２の巻取部（幅広巻取部）、２５Ａ・・・第１の鍔部、２５Ｂ・・・第２の鍔部（中間鍔部）、２５Ｃ・・・第３の鍔部、２８・・・導入溝、３０・・・光ファイバ端末固定具、３２・・・円盤状基体、３６・・・隆起部、３６Ａ・・・頂部、３８・・・挟持面。
【図１】
2015009987.tif 000017
【図２】
2015009987.tif 000018
【図３】
2015009987.tif 000019
【図４】
2015009987.tif 000020
【図５】
2015009987.tif 000021
【図６】
2015009987.tif 000022
【図７】
2015009987.tif 000023
【図８】
2015009987.tif 000024
【図９】
2015009987.tif 000025
【図１０】
2015009987.tif 000026
【図１１】
2015009987.tif 000027
【図１２】
2015009987.tif 000028
【図１３】
2015009987.tif 000029
【図１４】
2015009987.tif 000030
【図１５】
2015009987.tif 000031
【図１６】
2015009987.tif 000032
【図１７】
2015009987.tif 000033
【図１８】
2015009987.tif 000034
【図１９】
2015009987.tif 000035
【図２０】
2015009987.tif 000036
【図２１】
2015009987.tif 000037
【図２２】
2015009987.tif 000038
【図２３】
2015009987.tif 000039
【図２４】
2015009987.tif 000040
【図２５】
2015009987.tif 000041